【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
印刷用画像データの処理プロセス中で得られる検版対象データと、前記検版対象データの比較対象となる画像状態を表現した基準データとを相互に比較して検版を行う検版装置であって、
検版結果が有する特徴を抽出する特徴抽出手段と、
前記検版結果を前記特徴に基づいて分類する分類手段と、
を備え、
前記特徴抽出手段が、
前記検版結果として得られる差分画像データの表現する差分画像に現れる差分領域の特徴を抽出する差分画像特徴抽出手段、
を含むことを特徴とする検版装置。
【請求項２】
請求項１に記載の検版装置であって、
前記特徴抽出手段が、
前記基準データにおいて前記差分領域と対応する領域が有する画像特徴を抽出する基準画像特徴抽出手段、
をさらに含むことを特徴とする検版装置。
【請求項３】
請求項１または請求項２に記載の検版装置であって、
前記特徴抽出手段が、
前記検版における処理条件の設定内容に依存した前記検版結果の特徴を抽出する設定依存特徴抽出手段、
をさらに含むことを特徴とする検版装置。
【請求項４】
請求項１ないし請求項３のいずれかに記載の検版装置であって、
前記分類手段による分類結果に基づいて、前記検版結果が有する特徴をその内容に応じて視覚的に識別可能に所定の表示手段に表示するためのプレビュー画像データを生成するプレビュー画像生成手段、
をさらに備えることを特徴とする検版装置。
【請求項５】
請求項１ないし請求項４のいずれかに記載の検版装置であって、
前記分類手段による分類結果を記憶する分類結果データベース、
をさらに備えることを特徴とする検版装置。
【請求項６】
印刷用画像データを生成し、前記印刷用画像データに基づく製版あるいは出力の少なくとも１つを行う印刷システムであって、
前記印刷用画像データの検版を行う検版装置、
を備え、
前記検版装置が、印刷用画像データの処理プロセス中で得られる検版対象データと、前記検版対象データの比較対象となる画像状態を表現した基準データとを相互に比較して検版を行う検版装置であって、
検版結果が有する特徴を抽出する特徴抽出手段と、
前記検版結果を前記特徴に基づいて分類する分類手段と、
を備え、
前記特徴抽出手段が、
前記検版結果として得られる差分画像データの表現する差分画像に現れる差分領域の特徴を抽出する差分画像特徴抽出手段、
を含むことを特徴とする印刷システム。
【請求項７】
請求項６に記載の印刷システムであって、
前記特徴抽出手段が、
前記基準データにおいて前記差分領域と対応する領域が有する画像特徴を抽出する基準画像特徴抽出手段、
をさらに含むことを特徴とする印刷システム。
【請求項８】
請求項６または請求項７に記載の印刷システムであって、
前記特徴抽出手段が、
前記検版における処理条件の設定内容に依存した前記検版結果の特徴を抽出する設定依存特徴抽出手段、
をさらに含むことを特徴とする印刷システム。
【請求項９】
請求項６ないし請求項８のいずれかに記載の印刷システムであって、
前記分類手段による分類結果に基づいて、前記検版結果が有する特徴をその内容に応じて視覚的に識別可能に所定の表示手段に表示するためのプレビュー画像データを生成するプレビュー画像生成手段、
をさらに備えることを特徴とする印刷システム。
【請求項１０】
請求項６ないし請求項９のいずれかに記載の印刷システムであって、
前記分類手段による分類結果を記憶する分類結果データベース、
をさらに備えることを特徴とする印刷システム。
【請求項１１】
印刷用画像データの処理プロセス中で得られる検版対象データと、前記検版対象データの比較対象となる画像状態を表現した基準データとを相互に比較して検版を行うことにより得られる検版結果の分類方法であって、
検版結果が有する特徴を抽出する特徴抽出工程と、
前記検版結果を前記特徴に基づいて分類する分類工程と、
を備え、
前記特徴抽出工程が、
前記検版結果として得られる差分画像データの表現する差分画像に現れる差分領域の特徴を抽出する差分画像特徴抽出工程、
を含むことを特徴とする検版結果の分類方法。
【請求項１２】
請求項１１に記載の検版結果の分類方法であって、
前記特徴抽出工程が、
前記基準データにおいて前記差分領域と対応する領域が有する画像特徴を抽出する基準画像特徴抽出工程、
をさらに含むことを特徴とする検版結果の分類方法。
【請求項１３】
請求項１１または請求項１２に記載の検版結果の分類方法であって、
前記特徴抽出工程が、
前記検版における処理条件の設定内容に依存した前記検版結果の特徴を抽出する設定依存特徴抽出工程、
をさらに含むことを特徴とする検版結果の分類方法。
【請求項１４】
コンピュータで実行されることにより、前記コンピュータを請求項１ないし請求項５のいずれかに記載の検版装置として機能させることを特徴とするプログラム。
【手続補正２】
【補正対象書類名】明細書
【補正対象項目名】００１０
【補正方法】変更
【補正の内容】
【００１０】
【課題を解決するための手段】
上記課題を解決するため、請求項１の発明は、印刷用画像データの処理プロセス中で得られる検版対象データと、前記検版対象データの比較対象となる画像状態を表現した基準データとを相互に比較して検版を行う検版装置であって、検版結果が有する特徴を抽出する特徴抽出手段と、前記検版結果を前記特徴に基づいて分類する分類手段と、を備え、前記特徴抽出手段が、前記検版結果として得られる差分画像データの表現する差分画像に現れる差分領域の特徴を抽出する差分画像特徴抽出手段、を含むことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、請求項２の発明は、請求項１に記載の検版装置であって、前記特徴抽出手段が、前記基準データにおいて前記差分領域と対応する領域が有する画像特徴を抽出する基準画像特徴抽出手段、をさらに含むことを特徴とする。
【手続補正５】
【補正対象書類名】明細書
【補正対象項目名】００１３
【補正方法】変更
【補正の内容】
【００１３】
また、請求項３の発明は、請求項１または請求項２に記載の検版装置であって、前記特徴抽出手段が、前記検版における処理条件の設定内容に依存した前記検版結果の特徴を抽出する設定依存特徴抽出手段、をさらに含むことを特徴とする。
【手続補正６】
【補正対象書類名】明細書
【補正対象項目名】００１４
【補正方法】変更
【補正の内容】
【００１４】
また、請求項４の発明は、請求項１ないし請求項３のいずれかに記載の検版装置であって、前記分類手段による分類結果に基づいて、前記検版結果が有する特徴をその内容に応じて視覚的に識別可能に所定の表示手段に表示するためのプレビュー画像データを生成するプレビュー画像生成手段、をさらに備えることを特徴とする。
【手続補正７】
【補正対象書類名】明細書
【補正対象項目名】００１５
【補正方法】変更
【補正の内容】
【００１５】
また、請求項５の発明は、請求項１ないし請求項４のいずれかに記載の検版装置であって、前記分類手段による分類結果を記憶する分類結果データベース、をさらに備えることを特徴とする。
【手続補正８】
【補正対象書類名】明細書
【補正対象項目名】００１６
【補正方法】変更
【補正の内容】
【００１６】
また、請求項６の発明は、印刷用画像データを生成し、前記印刷用画像データに基づく製版あるいは出力の少なくとも１つを行う印刷システムであって、前記印刷用画像データの検版を行う検版装置、を備え、前記検版装置が、印刷用画像データの処理プロセス中で得られる検版対象データと、前記検版対象データの比較対象となる画像状態を表現した基準データとを相互に比較して検版を行う検版装置であって、検版結果が有する特徴を抽出する特徴抽出手段と、前記検版結果を前記特徴に基づいて分類する分類手段と、を備え、前記特徴抽出手段が、前記検版結果として得られる差分画像データの表現する差分画像に現れる差分領域の特徴を抽出する差分画像特徴抽出手段、を含むことを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
また、請求項７の発明は、請求項６に記載の印刷システムであって、前記特徴抽出手段が、前記基準データにおいて前記差分領域と対応する領域が有する画像特徴を抽出する基準画像特徴抽出手段、をさらに含むことを特徴とする。
【手続補正１１】
【補正対象書類名】明細書
【補正対象項目名】００１９
【補正方法】変更
【補正の内容】
【００１９】
また、請求項８の発明は、請求項６または請求項７に記載の印刷システムであって、前記特徴抽出手段が、前記検版における処理条件の設定内容に依存した前記検版結果の特徴を抽出する設定依存特徴抽出手段、をさらに含むことを特徴とする。
【手続補正１２】
【補正対象書類名】明細書
【補正対象項目名】００２０
【補正方法】変更
【補正の内容】
【００２０】
また、請求項９の発明は、請求項６ないし請求項８のいずれかに記載の印刷システムであって、前記分類手段による分類結果に基づいて、前記検版結果が有する特徴をその内容に応じて視覚的に識別可能に所定の表示手段に表示するためのプレビュー画像データを生成するプレビュー画像生成手段、をさらに備えることを特徴とする。
【手続補正１３】
【補正対象書類名】明細書
【補正対象項目名】００２１
【補正方法】変更
【補正の内容】
【００２１】
また、請求項１０の発明は、請求項６ないし請求項９のいずれかに記載の印刷システムであって、前記分類手段による分類結果を記憶する分類結果データベース、をさらに備えることを特徴とする。
【手続補正１４】
【補正対象書類名】明細書
【補正対象項目名】００２２
【補正方法】変更
【補正の内容】
【００２２】
また、請求項１１の発明は、印刷用画像データの処理プロセス中で得られる検版対象データと、前記検版対象データの比較対象となる画像状態を表現した基準データとを相互に比較して検版を行うことにより得られる検版結果の分類方法であって、検版結果が有する特徴を抽出する特徴抽出工程と、前記検版結果を前記特徴に基づいて分類する分類工程と、を備え、前記特徴抽出工程が、前記検版結果として得られる差分画像データの表現する差分画像に現れる差分領域の特徴を抽出する差分画像特徴抽出工程、を含むことを特徴とする。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
また、請求項１２の発明は、請求項１１に記載の検版結果の分類方法であって、前記特徴抽出工程が、前記基準データにおいて前記差分領域と対応する領域が有する画像特徴を抽出する基準画像特徴抽出工程、をさらに含むことを特徴とする。
【手続補正１７】
【補正対象書類名】明細書
【補正対象項目名】００２５
【補正方法】変更
【補正の内容】
【００２５】
また、請求項１３の発明は、請求項１１または請求項１２に記載の検版結果の分類方法であって、前記特徴抽出工程が、前記検版における処理条件の設定内容に依存した前記検版結果の特徴を抽出する設定依存特徴抽出工程、をさらに含むことを特徴とする。
【手続補正１８】
【補正対象書類名】明細書
【補正対象項目名】００２６
【補正方法】変更
【補正の内容】
【００２６】
また、請求項１４の発明は、コンピュータで実行されることにより、前記コンピュータを請求項１ないし請求項５のいずれかに記載の検版装置として機能させることを特徴とする。
【手続補正１９】
【補正対象書類名】明細書
【補正対象項目名】００７６
【補正方法】変更
【補正の内容】
【００７６】
【発明の効果】
以上、説明したように、請求項１ないし請求項１４の発明によれば、検版結果を作業者がいちいち目視せずとも、検版結果の分類・整理が行える。検版対象となる画像が多い場合に、その処理効率が飛躍的に向上する。
【手続補正２０】
【補正対象書類名】明細書
【補正対象項目名】００７７
【補正方法】変更
【補正の内容】
【００７７】
また、請求項１、請求項６、及び請求項１１の発明によれば、検版結果として得られる差分画像を作業者がいちいち目視せずとも、差分画像に現れる特徴に応じて、検版結果の分類・整理が行える。
【手続補正２１】
【補正対象書類名】明細書
【補正対象項目名】００７８
【補正方法】変更
【補正の内容】
【００７８】
また、請求項２、請求項７、及び請求項１２の発明によれば、検版結果として得られる差分画像と検版処理に用いられた基準画像とを作業者がいちいち対比せずとも、差分画像に現れる差分領域が、基準画像のどのような画像特徴を有する領域にて生じているのかを判別できるとともに、その画像内容に基づいて、検版結果の分類・整理が行える。
【手続補正２２】
【補正対象書類名】明細書
【補正対象項目名】００７９
【補正方法】変更
【補正の内容】
【００７９】
また、請求項３、請求項８、及び請求項１３の発明によれば、処理条件を変えつつ検版処理を行う場合に、処理条件と関連付けて検版結果の分類・整理が行えるので、画素ずれや濃度ばらつきなどを考慮した、より適切な検版処理の分類・整理が可能となる。
【手続補正２３】
【補正対象書類名】明細書
【補正対象項目名】００８０
【補正方法】変更
【補正の内容】
【００８０】
また、請求項４及び請求項９の発明によれば、検版結果がその内容に応じて見やすく表示されるので、検版結果の把握が容易になる。
【手続補正２４】
【補正対象書類名】明細書
【補正対象項目名】００８１
【補正方法】変更
【補正の内容】
【００８１】
また、請求項５及び請求項１０の発明によれば、分類結果データベースを参照することにより、検版結果に生じている特定の傾向の抽出・分析などを行うことが容易となるので、意図しない検版結果が生じている場合に、その要因を早期に解明するための端緒となる情報が得られる。
【手続補正２５】
【補正対象書類名】図面
【補正対象項目名】図２
【補正方法】変更
【補正の内容】
【図２】
2004294681.tif 000001